(57)【要約】【課題】男子小用時の目標点となる標的表示を、小用中も継続的に認識可能とする便座装置を提供することを目的とする。【解決手段】男子小用時における前記便器４内の貯溜水面８ａの目標点１０が認識できる標的表示９を照射する照射手段６と、前記照射手段６を制御する制御手段７とを備え、前記標的表示９は前記目標点１０を前記貯留水面８ａに直接表示せず、前記標的表示９により前記目標点１０を示唆するものである。これによって、男子小用中に貯溜水面８ａが波打っても、標的表示９は影響が受けにくく、目標点１０は継続して認識することが可能となり、小便の飛散による便器４および便座装置の汚損を抑制することができる。【選択図】図１
2010101034.tif 000002
【特許請求の範囲】
【請求項１】
便器に載置した本体と、前記本体に回動自在に枢支した便座と、男子小用時における前記便器内の貯溜水面の目標点が認識できる標的表示を照射する照射手段と、前記照射手段を制御する制御手段とを備え、前記標的表示は前記目標点を前記貯留水面に直接表示せず、前記標的表示により前記目標点を示唆することを特徴とした便座装置。
【請求項２】
照射手段は便器内の貯溜水面の周辺部に標的表示を照射し、標的表示が照射されない範囲に目標点が示唆されることを特徴とした請求項１に記載の便座装置。
【請求項３】
複数の照射手段を設け、複数の照射手段から照射された照射光が、便器内の貯溜水面の上空で交差するように照射することを特徴とした請求項1に記載の便座装置。
【請求項４】
照射手段の照射光を複数の色に切り替え可能なことを特徴とした請求項１から３のいずれか１項に記載の便座装置。
【請求項５】
便器内にミストを噴射するミスト発生手段を設け、照射手段から照射した標的表示を前記ミスト表面に表示することを特徴とした請求項１に記載の便座装置。
【発明の詳細な説明】
【技術分野】
【０００１】
本発明は、便座装置における男子小用時の標的表示に関するものである。
【背景技術】
【０００２】
従来、この種の便座装置においては、男子小用時の標的表示は、便器の貯溜水面に標的となるポイントを直接表示されていた（例えば、特許文献１参照）。
【０００３】
図７は、特許文献１に記載の便座装置の側方から見た断面図であるが、開閉自在の便蓋１０６及び便座１０７の後方に便座装置の本体１０８が配置されており、本体１０８内は制御部１１２と標的表示手段１１０を備えており、男子小用時には開閉自在の便蓋１０６及び便座１０７を開いた状態にし、標的表示手段１１０によって便器内の貯溜水面に放尿の目標となる標的１１１が直接表示されていた。
【特許文献１】特開平６−３３６７５４号公報
【発明の開示】
【発明が解決しようとする課題】
【０００４】
しかしながら、前記従来の構成では男子小用時の標的が便器内の貯溜水面に直接表示されているため、小用開始前には標的が明確であるが、小便が一度水面に着水すると、水面が波打ち、標的が不鮮明になり、使用者は標的を見失い目標が定まらず、小便が周囲に飛散し、便座装置表面に付着して汚れるという課題が完全に解決されていなかった。とくにトイレ室内の電灯色が標的と同系色の場合、標的が不鮮明であり、前記課題が問題となっていた。
【０００５】
本発明は前記従来の課題を解決するもので、小用中も継続的に明確な標的を認識可能とする便座装置を提供することを目的とする。
【課題を解決するための手段】
【０００６】
前記従来の課題を解決するために、本発明の便座装置は、男子小用時における前記便器内の貯溜水面の目標点が認識できる標的表示を照射する照射手段と、前記照射手段を制御する制御手段とを備え、前記標的表示は前記目標点を前記貯留水面に直接表示せず、前記標的表示により前記目標点を示唆するものである。
【０００７】
これによって、男子小用中に貯溜水面が波打っても、標的表示は影響が受けにくく、目標点は継続して認識することが可能となり、使用者が目標点を見失うことがなく、小便の飛散による便器および便座装置の汚損を抑制することができる。
【発明の効果】
【０００８】
本発明の洗浄便座は、小用中も継続的に目標点を認識することができるので、小便の飛散による便器および便座装置の汚損を抑制することができる。
【発明を実施するための最良の形態】
【０００９】
第１の発明は、便器に載置した本体と、前記本体に回動自在に枢支した便座と、男子小用時における前記便器内の貯溜水面の目標点が認識できる標的表示を照射する照射手段と、前記照射手段を制御する制御手段とを備え、前記標的表示は前記目標点を前記貯留水面に直接表示せず、前記標的表示により前記目標点を示唆することを特徴としたものである。
【００１０】
これによって、男子小用中に便器内の貯溜水面が小便によって波打っても、標的表示は影響を受けにくく、目標点は継続して認識することが可能となり、使用者が目標点を見失うことがなく、小便の飛散による便器および便座装置の汚損を抑制することができる。
【００１１】
第２の発明は、特に第１の発明において、照射手段は貯溜水面の周辺部に標的表示を照射し、標的表示が照射されない範囲に目標点が示唆されることを特徴としたものである。これにより、貯溜水面の周辺部に表示される標的表示により、貯溜水面の中央部に位置する目標点を認識することが可能となり、便器内の貯溜水面の中央部が小便によって大きく波打った場合でも、周辺部の波打ちは少なく、標的表示は継続して表示されるため、目標点を認識することが可能である。
【００１２】
第３の発明は、特に第１の発明において、複数の照射手段を設け、複数の照射手段から照射された照射光が、便器内の貯溜水面の上空で交差するように照射することを特徴としたものである。
【００１３】
空間上の交点が標的表示となるため、小便中でも水面の影響を受けることがなく、さらに明確な標的表示を提供することができる。
【００１４】
第４の発明は、特に第１〜３のいずれか１つの発明において、照射手段の照射光を複数の色に切り替え可能なことを特徴としたものである。
これにより、トイレ室内の電灯色と同系色で視認しにくい場合でも、照射光の色を変えることで、明確に標的を視認することができる。
【００１５】
第５の発明は、特に第１の発明において、便器内にミストを噴射するミスト発生手段を設け、照射手段から照射した標的表示を前記ミスト表面に表示することを特徴としたものである。
【００１６】
これにより、霧状のミストが光を反射し、光の道筋を際立たせることが可能となり、目標点の極近傍に、波打ちの影響を受けない標的表示を表示することが可能となり、より精度を高めることが可能となる。
【００１７】
（実施の形態１）
図１に本実施の形態における便座装置の側面図（一部断面図）を示し、図２（ａ）照射手段の断面図を示し、図２（ｂ）は照射手段のレンズ部の正面図を示し、図３は標的表示を行っている便座装置の平面図を示すものである。
【００１８】
便座装置は便座装置本体１と、便座装置本体１に回動自在に枢支した便座２、便蓋３が設けられ、これらが便器４の上面に設置されている。便座装置本体１の前方の略中央部には人体の局部に洗浄水を噴射する人体洗浄ノズル５が出没自在に設置してあり、人体洗浄ノズルの下方には便器４内部の貯溜水８の貯溜水面８ａの周辺部を照らす照射手段６が設置してある。
【００１９】
便座装置本体１はポリプロピレン等の樹脂で形成されたベースプレート１ａ上に、人体洗浄ノズル５、照射手段６、制御部７、脱臭装置（図示せず）、乾燥装置（図示せず）等が配置され、ポリプロピレン等の樹脂で形成された外郭ケース１ｂで覆われている、外郭ケース１ｂの前面には便座２と便蓋３がダンパ装置（図示せず）を介して回動自在に枢支されている。
【００２０】
ダンパ装置は便座２と便座装置本体１との接続部の軸には便座の閉止時の動きをスムーズにさせるためにけられており、ダンパ装置には便座２の回動位置により状態が変化する
リミットスイッチ（図示せず）が取り付けられており、便座２を開状態にすることでリミットスイッチがＯＮされるように取り付けられている。リミットスイッチの信号は制御部７で検知できるようになっている。
【００２１】
人体洗浄ノズル５は、使用時にはノズルが突出し、洗浄水を噴出し、非動作時には便座装置本体１の内部に収納される構成となっており、便座装置本体１のベースプレート１ａに螺子で接合されている。
【００２２】
照射手段６は人体洗浄ノズル５の下方近傍に設けられた空間に配置されている。照射手段６は、アクリルやポリプロピレン等の透明な樹脂材料で形成した略円筒形状の樹脂ケース６ａの一方の端部にＬＥＤの光源６ｂを設置し、他方の端部はレンズ部６ｃを形成している。照射手段６からの光りの向きは便器４内部の貯溜水８に向けられており、レンズ部６ｃは所定の範囲に光源６ｂの光を照射する目的で曲面に形成してあり、しかも適度に光りを拡散させるために全面にシボ加工を施してある。
【００２３】
図２（ｂ）に示すようにレンズ部６ｃの中央部には光を透過させない星形の不透過部６ｄが形成してあり、光源６ｂの光は不透過部６ｄでは透過を遮られ、周囲の透過部６ｅのみから貯溜水面８ａに向けて照射される。
【００２４】
照射手段６から照射された照射光により、図３に示すように、貯溜水面８ａの中央部には星形の非照射部９ａが、貯溜水面８ａの周辺部には略円形の照射部９ｂからなる標的表示９が表示される。
【００２５】
本実施の形態においては、不透過部６ｄはレンズ部６ｃの表面に印刷で形成しているが、シールの貼り付けや、ケース内部にインサート成形するなどして形成してもよい。
光源６ａはリード線により制御部７と接続されている。また、照射手段６の取り付けは便座装置本体１のベースプレート１ａに樹脂のバネ性を利用したつめ嵌合にて取り付けられている。
【００２６】
以上のように構成された便座装置について、以下その動作、作用について説明する。
使用者がトイレ空間に入室し、便蓋２と便座３を開状態にすると、ダンパ装置に配置したリミットスイッチがＯＮし、制御部７に便座２と便座３が開状態である情報が伝達される。制御部７はこの状態を男性が小用する状態であると判定し、男子小用の標的となる照射手段６を点灯させ、男子小用の目標点１０を示唆する標的表示９を便器４の貯溜水面８ａに表示させる。
【００２７】
この時、目標点１０は光源６ｂからの照射光が直接照射される照射部９ｂにて直接表示するのではなく、非照射部９ａの星形の中心が目標点１０であることを使用者が自然に認識することができるものである。
【００２８】
この状態で、使用者が星型中央の目標点１０に向けて小用を行った場合、目標点付近は大きく波打つが、周辺の照射部９ｂの波打ちは小さいため、使用者は星型の非照射部９ａを継続して視認することができ、目標点１０を継続して認識することが可能である。
また、標的表示９の照射部９ｂとして照射手段６が照射する範囲は、貯溜水面８ａの外周部の広い範囲を照射するため、便器４内の広い範囲が明るくなり、貯溜水面８ａの略全面を視認することが可能となり、目標点１０を認識しやすくなる。
なお、本実施の形態においては周辺部を照射部９ｄとし、中央部を星形の非照射部９ａとする標的表示９としたが、標的表示９の形状はこれに限るものではなく、他の例について以下に説明する。
【００２９】
第２の形状としては図４に示すように、中央部を円形の非照射部９ａとしその外周に同心の複数の照射部９ｄと非照射部９ａを交互に表示する標的表示９である。
この場合、円形の中心が目標点１０であり、円形の中心は一般の使用者にとって非常に認識しやすいものである。
【００３０】
上記第２の形状として、外周の同心円を照射部９ｄと非照射部９ａとで表示したが、複数の色の同心円で表示することも可能であり、この場合より視認性を高めることができる。
【００３１】
第３の形状としては図５に示すように、円形の照射部９ｂの一部に矢印形状の非照射部９ａを設けた標的表示９であり、矢印の先端前方が目標点１０と認識される。なお、図５において矢印は１個のみの表示としたが、複数個表示することにより、より認識されやすくなる。
【００３２】
第４の形状としては図６に示すように、円形の照射部９ｂの一部に左右対称のくの字形状の非照射部９ａを設けた標的表示９であり、くの字の先端部が目標点１０として認識される。
【００３３】
以上のように、標的表示の形状の例を説明したが、これ以外でも目標点１０が間接的に認識できるものであればこの限りではない。
【００３４】
なお、本実施の形態においては、光源６ｂとしてＬＥＤを使用したが、これに限るものではなく、白熱電球やレーザー等の他の発光体を使用してもよい。
【００３５】
また、本実施の形態においては、不透過部６ｄは照射手段６のレンズ部６ｃに直接設置する構成としたが、照射手段６のレンズ部６ｃ覆う透明のケースを照射手段６とは別体で設け、前記ケースに不透過部６ｄを設置することでも同様の効果が得られる。特に、このような構成にすることにより、ケースを交換することで標的表示９の形状を変化させることができる。
【００３６】
（実施の形態２）
図７、図８は照射手段を複数個使用した第２の実施の形態の２つの例の便座装置の平面図を示すものである。
【００３７】
図７に示す第１の便座装置は、２個の照射手段６を使って、それぞれの照射光を便器４の貯溜水面８ａ左右に向けて照射することにより、貯溜水面８ａの左右に円形の照射部９ｄを表示することにより、２個の照射部９ｄに挟まれた非照射部９ｃを目標点１０とするものである。
【００３８】
また、図８に示す第２の便座装置は、２個の照射手段６から照射する照射光を、貯溜水面８ａの上空で交差させるようにし、その交差して明るくなった部分を標的表示９とするものである。この場合、標的表示９は貯溜水面８ａではなく、空中に表示されることなり、小用による貯溜水面８ａの波立ちに影響されることがなく、明確に表示することができる。
【００３９】
なお、この場合、照射手段６から照射される光りは、幅広く広がらないものが好適であり、レーザーのように幅が変わらずに直進するものでも良い。
【００４０】
なお、照射手段６の光源６ａとして複数の色を発するものを設け、部屋の色に合わせて、使用者が光りの色を選べるようにしておくことが好適である。これにより、トイレ室内
の電灯の色と光源６ａが同色の場合、光源６ａの色を切換えることで、はっきりと標的を表示させることが可能となる。
【００４１】
なお、光源色の変え方としては、複数色の光源を用意しておき、機械的に変えても良い。また、光源色の変え方は赤色と黄色を使ってオレンジ色にするなどの、異種の光源色の組み合わせで、違う色を発生させることでも良い。
【００４２】
（実施の形態３）
図９は実施の形態３の便座装置の平面図を示すものである。
【００４３】
本実施の形態における便座装置は、実施の形態１の便座装置に加えてミスト発生装置１１を備えたものであり、ミスト１２を便器４の便鉢４ａ内に発生させるものである。本実施の形態の便座装置は、照射手段６から放たれた光りが便鉢４ａ内に滞留したミスト１２の表面で反射するために、光りの道筋がはっきり見えるようになる。これにより、照射手段６の透過部６ｅから放たれた光りと不透過部６ｄによって影になった部分との境目がよりはっきりわかり、標的表示９をより明確に視認することができる。またミスト１２は、便鉢４ａに溜まった小便の匂いが拡散されることを防ぐという効果もある。
【産業上の利用可能性】
【００４４】
以上のように、本発明にかかる便座装置は、周辺の標的表示のみで水面への目標点の示唆が可能となるので、水面に目標位置の表示を要する他の水応用機器等に利用することが可能である。
【図面の簡単な説明】
【００４５】
【図１】本発明の実施の形態１における便座装置の側面図
【図２】（ａ）は本発明の実施の形態１における照射手段の断面図、（ｂ）レンズ部の正面図
【図３】本発明の実施の形態１における便座装置の平面図
【図４】本発明の実施の形態１における別の標的表示の便座装置の平面図
【図５】本発明の実施の形態１における別の標的表示の便座装置の平面図
【図６】本発明の実施の形態１における別の標的表示の便座装置の平面図
【図７】本発明の実施の形態２における便座装置の平面図
【図８】本発明の実施の形態２における別の標的表示の便座装置の平面図
【図９】本発明の実施の形態３における便座装置の平面図
【図１０】従来の便座装置の側面図
【符号の説明】
【００４６】
１  便座装置本体（本体）
２  便座
４  便器
６  照射手段
７  制御部（制御手段）
８ａ  貯溜水面
９  標的表示
１０  目標点
１１  ミスト発生装置（ミスト発生手段）
１２  ミスト
【図１】
2010101034.tif 000003
【図２】
2010101034.tif 000004
【図１０】
2010101034.tif 000005
【図３】
2010101034.tif 000006
【図４】
2010101034.tif 000007
【図５】
2010101034.tif 000008
【図６】
2010101034.tif 000009
【図７】
2010101034.tif 000010
【図８】
2010101034.tif 000011
【図９】
2010101034.tif 000012